(57)【特許請求の範囲】
【請求項１】
人体の有無を検出する人感センサからの人体検出信号と、検知エリア内の照度を検知する照度センサからの検出値とに基づいて、照明器具の点灯、消灯及び明るさを制御する照明制御装置において、
前記人体検出信号の値を無効とする動作モード０と、
前記人体検出信号の値が人体検知状態から人体非検知状態に変化した場合、前記照明器具が点灯している状態から第１フェードアウト時間をかけて前記照明器具を調光制御して消灯する動作モード１と、
前記人体検出信号の値が人体検知状態から人体非検知状態に変化した場合、前記照明器具が点灯している状態から第２フェードアウト時間をかけて前記照明器具を調光制御して中間調光率に到達させた後、保持時間だけ保持し、その後、前記照明器具を調光制御して消灯する動作モード２と、
前記人体検出信号の値が人体検知状態から人体非検知状態に変化した場合、前記照明器具が点灯している状態から第４フェードアウト時間をかけて前記照明器具を調光制御して下限調光率に到達させる動作モード３とを有し、
そのうち少なくとも１つの動作モードが実行可能かつ選択可能に構成され、
前記第１フェードアウト時間、前記第２フェードアウト時間、前記第４フェードアウト時間、及び前記保持時間の少なくとも１つが設定可能に構成されていることを特徴とする照明制御装置。
【請求項２】
前記動作モード１では、前記人体検出信号の値が人体非検知状態から人体検知状態に変化した場合、前記照明器具を点灯させた後、第１フェードイン時間をかけて調光制御して第１調光率に到達させ、
前記動作モード２では、前記人体検出信号の値が人体非検知状態から人体検知状態に変化した場合、前記照明器具を点灯させた後、第２フェードイン時間をかけて調光制御して第２調光率に到達させ、
前記動作モード３では、前記人体検出信号の値が人体非検知状態から人体検知状態に変化した場合、前記照明器具を点灯させた後、第３フェードイン時間をかけて調光制御して第３調光率に到達させ、
前記第１乃至第３フェードイン時間の少なくとも１つが設定可能に構成されていることを特徴とする請求項１記載の照明制御装置。
【請求項３】
前記動作モード１では、前記人体検出信号の値が人体非検知状態から人体検知状態に変化した際、前記照度センサの前記検出値が前記第１調光率に対応した照度より高いことを示す場合には、前記人体検出信号の値を無効とし、
前記動作モード２では、前記人体検出信号の値が人体非検知状態から人体検知状態に変化した際、前記照度センサの前記検出値が前記第２調光率に対応した照度より高いことを示す場合には、前記人体検出信号の値を無効とし、
前記動作モード３では、前記人体検出信号の値が人体非検知状態から人体検知状態に変化した際、前記照度センサの前記検出値が前記第３調光率に対応した照度より高いことを示す場合には、前記人体検出信号の値を無効とする
ことを特徴とする請求項２記載の照明制御装置。
【請求項４】
外部信号の値又は複数の外部信号の値の組み合わせごとに、前記動作モードのいずれかを割当て可能に構成されていることを特徴とする請求項１乃至３のいずれかに記載の照明制御装置。
【請求項５】
外部信号の値又は複数の外部信号の値の組み合わせごとに、割り当てられた動作モードにおいて前記照度センサからの前記検出値を有効とするか無効とするかを選択可能に構成されていることを特徴とする請求項４記載の照明制御装置。
【請求項６】
前記照明器具が設置されるエリアと前記動作モードとが予め対応付けられており、前記エリアの選択により対応した前記動作モードが選択可能に構成されていることを特徴とする請求項１乃至５のいずれかに記載の照明制御装置。
【請求項７】
スケジュールに応じて、前記動作モードの切り替え、前記照度センサからの検出値の有効又は無効の切り替え、前記第１フェードアウト時間、前記第２フェードアウト時間、前記第４フェードアウト時間、前記保持時間、前記第１乃至第３フェードイン時間の変更の少なくとも１つを行うことを特徴とする請求項１乃至６のいずれかに記載の照明制御装置。
【請求項８】
前記スケジュールは、２４時間周期であることを特徴とする請求項７記載の照明制御装置。
【請求項９】
前記スケジュールは、１週間周期であることを特徴とする請求項６又は７記載の照明制御装置。
【請求項１０】
少なくとも１つの照明器具と、請求項１乃至９のいずれかに記載の照明制御装置とを備えたことを特徴とする照明装置。
【請求項１１】
複数の就業エリアブロックに設けられた請求項１乃至９のいずれかに記載の複数の照明制御装置と、前記複数の照明制御装置を制御する中央制御装置と、就業者の出社時刻及び退社時刻を記録するタイムレコーダと、前記就業者に付与されたコードごとに当該就業者が就業する前記就業エリアブロックが記憶された記憶部とを備え、
前記タイムレコーダは、前記就業者の操作に応じて前記コードを前記中央制御装置に供給し、前記中央制御装置は、前記タイムレコーダからの前記コードに基づいて、上記記憶部を検索して、当該就業者が当該就業エリアブロックで就業する複数の就業者のうち、最初に出社した就業者である場合には、当該就業エリアブロックに設けられた前記照明制御装置にその旨を通知し、当該就業者が当該就業エリアブロックで就業する複数の就業者のうち、最後に退社した就業者である場合には、当該就業エリアブロックに設けられた前記照明制御装置にその旨を通知し、前記照明制御装置は、前記通知に基づいて設定されている前記動作モードを実行することを特徴とする照明制御システム。
【請求項１２】
少なくとも１つの照明器具と、請求項１１記載の照明制御システムとを備えたことを特徴とする照明システム。
【発明の詳細な説明】
【技術分野】
【０００１】
本発明は、人感センサ及び照度センサの各検出値や外部信号に基づいて照明器具の点灯、消灯及び明るさ等を制御する照明制御装置、この照明制御装置を備えた照明装置、複数の照明制御装置からなる照明制御システム及びこの照明制御システムを備えた照明システムに関する。
【背景技術】
【０００２】
従来の照明制御装置は、人感センサが人体を検知し、かつ、外部信号が入力されない場合、被照射面の照度が目標照度範囲内になるように、照度センサの検出値に基づいて光源の光出力を制御している。一方、外部信号が入力された場合、この照明制御装置は、照度センサ及び人感センサよる制御を無視して、入力された外部信号に設定されている優先順位に応じて予め決められた点灯状態にしている。また、この照明制御装置では、外部信号がオンからオフへと切り替わる場合に、照度センサ及び人感センサによる制御レベルまで光源の光出力がフェードイン又はフェードアウトするようにしている（例えば、特許文献１参照。）。
【０００３】
【特許文献１】特開平１０−３０２９６９号公報（［００１８］〜［００２０］，［００２６］〜［００２８］、図１，図２）
【発明の開示】
【発明が解決しようとする課題】
【０００４】
ところで、照明器具を構成する蛍光ランプは、始動時に電極に塗布されている電子放射物質が消耗するため、一般に、その点滅回数が多くなるとランプ寿命は短くなる。例えば、蛍光ランプを１日に２０〜３０回も点滅させると、１回も点滅させない場合に比べて、その寿命は半減してしまう。しかし、人の不在時には蛍光ランプを消灯しておく方が電気代がかからないことはいうまでもない。これに対し、蛍光ランプを調光した場合、ランプ寿命への影響はないが、調光率を２５％とすると、調光率を１００％としたときの３５％の電力消費がある。ここで、調光率とは、蛍光ランプが全光点灯した場合の明るさを１００％としたときの明るさの度合いをいい、調光率が７０％とすると、蛍光ランプの明るさの度合いは７０％になることを意味する。以下、蛍光ランプのランプ寿命の延長を図ることと消費電力の削減を図ることとを併せて省エネルギー化を図ると呼ぶことにする。
【０００５】
一方、蛍光ランプの点滅や調光によって人が感じる感覚は、同一の建物内であっても以下に示すように異なっている。すなわち、多くの人が着席して業務を遂行しているオフィスのフロア等、人が長時間同一箇所に留まっており、人の動きが比較的少ない箇所では、あるエリア（第１エリア）では人が在席しているのにその第１エリアに隣接しているエリア（第２エリア）で人が退席する際に直ちに当該第２エリアの蛍光ランプを消灯すると、第１エリアに在席している人にとっては、不安感、寂寥感、疎外感などの違和感を感じる。これに対し、トイレ、廊下、エレベータホール等、他の場所に比べて人の出入りや通行は多いが、人が長時間留まることがない箇所では、人が全くいない状態でその箇所に人が進入した際に蛍光ランプが消灯していると上記した違和感を感じるが、蛍光ランプが最低照度で点灯している状態で人の進入と同時に蛍光ランプを最大照度に調光し、人がいなくなると直ちに最低照度に戻しても、上記した違和感を感じることはない。
【０００６】
さらに、照度変化に対して人が感じる感覚については、通常、いわゆるＳ曲線特性と呼ばれるものがある。すなわち、照度を変化させる場合、人は、比較的高い照度範囲では照度変化に対する感覚は鈍いが、比較的低い照度範囲では照度変化に対する感覚が鋭い。例えば、太陽が高い時間帯では多少日が陰っても人はあまり気にならないが、夕方の時間帯では少しでも暗くなると人は気になってしまう。これは、蛍光ランプの調光により照度を変化（フェードイン又はフェードアウト）させる時間（フェードイン時間及びフェードアウト時間）に関わってくる。
以上説明したように、省エネルギー化と照明の調光に対する人の感覚（快適性）とは、様々な要素が複雑に絡んでおり、両立させることは簡単ではない。さらに、火災発生等の緊急時には、省エネルギー化及び照明の調光に対する人の感覚（快適性）を考慮することなく、直ちに調光率１００％で蛍光ランプを点灯しなければならない。
【０００７】
ところが、上記した従来の照明制御装置では、省エネルギー化を図ることについては何ら考慮されておらず、フェード時間も固定されていることから調光に対する人の快適性についても何ら考慮されていない。
【０００８】
本発明は、上述のような課題を解決するためになされたもので、その目的は、省エネルギー化を図りつつ、照明の調光に対する人の感覚（快適性）も向上させることができる照明制御装置、照明装置、照明制御システム及び照明システムを得るものである。
【課題を解決するための手段】
【０００９】
本発明に係る照明制御装置は、人体の有無を検出する人感センサからの人体検出信号と、検知エリア内の照度を検知する照度センサからの検出値とに基づいて、照明器具の点灯、消灯及び明るさを制御するものであり、人体検出信号の値を無効とする動作モード０と、人体検出信号の値が人体検知状態から人体非検知状態に変化した場合、照明器具が点灯している状態から第１フェードアウト時間をかけて照明器具を調光制御して消灯する動作モード１と、人体検出信号の値が人体検知状態から人体非検知状態に変化した場合、照明器具が点灯している状態から第２フェードアウト時間をかけて照明器具を調光制御して中間調光率に到達させた後、保持時間だけ保持し、その後、照明器具を調光制御して消灯する動作モード２と、人体検出信号の値が人体検知状態から人体非検知状態に変化した場合、照明器具が点灯している状態から第４フェードアウト時間をかけて照明器具を調光制御して下限調光率に到達させる動作モード３とを有し、そのうちの少なくとも１つの動作モードが実行可能かつ選択可能に構成され、第１フェードアウト時間、第２フェードアウト時間、第４フェードアウト時間、及び保持時間の少なくとも１つが設定可能に構成されているものである。
【発明の効果】
【００１０】
本発明は、照明器具を設置するエリアに合わせて動作モードを選択するとともに、第１乃至第４フェードアウト時間、保持時間の少なくとも１つを設定することにより、省エネルギー化を図りつつ、照明の調光に対する人の感覚（快適性）も向上させることができる。
【発明を実施するための最良の形態】
【００１１】
実施の形態１．
図１は、本発明の実施の形態１における照明装置を示すものである。この例の照明装置は、照明制御装置１と、人感センサ２と、照度センサ３と、火災感知器４と、タイマ５1及び５2と、照明器具６1〜６n（ｎは自然数）と、照明リモコン７と、調光信号線８とから構成されている。照明制御装置１は、人感センサ２の人体検出信号ＳH、照度センサ３の検出値ＤL、タイマ５1及び５2からの時刻到達信号ＳT1及びＳT2、火災感知器４からの火災感知信号ＳF、照明リモコン７からのコマンド信号ＳCIに基づいて、照明器具６1〜６nの点灯、消灯及び明るさ等を制御する。
【００１２】
人感センサ２は、検知エリア内で人体が動くことによって生じる温度変化に応じて動作し、人体を検出した場合には"Ｈ"レベルの人体検出信号ＳHを、人体を検出しない場合には"Ｌ"レベルの人体検出信号ＳHを照明制御装置１に供給する。人感センサ２は、具体的には、例えば、２ｍの距離で約３０ｃｍの手の動きを検知することができ、高さ２．５ｍの天井に取り付けられた場合、検知エリアは、その直下の床面上を中心とする５ｍ×７ｍ程度の長方形を底面とし、人感センサ２を頂点とした四角錐状である。
【００１３】
照度センサ３は、検知エリア内の平均照度（ターゲットは床面又は机上面）を検知してその平均照度に応じた電圧値である検出値ＤL（０〜５Ｖ）を照明制御装置１に供給する。照度センサ３は、例えば、人の目に近い感度で明るさを検知するような受光感度を有するフォトダイオード、フォトトランジスタ等の光電変換素子と、検知エリア内のどの位置からの光もほぼ均等な重みで捉えるための平均化フィルタとから構成されている。
【００１４】
火災感知器４は、例えば、赤外線センサや温度センサ等のように熱式に火災が発生したことを感知したり、光電式センサやイオン化式センサ等のように煙式に火災が発生したことを感知して、"Ｈ"レベルの火災感知信号ＳFを照明制御装置１に供給する。タイマ５1は、夜用であり、例えば、日没（午後５時頃〜午後７時半頃）から午後１１時頃までの間に"Ｈ"レベルの時刻到達信号ＳT1を照明制御装置１に供給する。タイマ５2は、深夜用であり、例えば、午後１１時頃から日出（午前５時頃〜午前７時半頃）までの間に"Ｈ"レベルの時刻到達信号ＳT2を照明制御装置１に供給する。
【００１５】
照明器具６1〜６nは、蛍光ランプ、インバータ回路等を有し、照明制御装置１と調光信号線８を介して接続されている。照明器具６1〜６nは、照明制御装置１から調光信号線８を介して供給されるＰＷＭ(Pulse Wide Modulation)の調光信号ＳCLに基づいてその光量が連続的に変化させられる。なお、各照明器具６1〜６nを総称する場合には、単に照明器具６と呼ぶ。照明リモコン７は、操作者が照明制御の各種設定操作を行う際に用いるものであり、上記操作に応じた赤外線のコマンド信号ＳCIを照明制御装置１に供給する。なお、照明リモコン７の構成及び機能の詳細については、例えば、特開２００２−２９９０７１号公報を参照されたい。
【００１６】
照明制御装置１は、外部入力部１１と、制御部１２と、調光信号出力部１３と、送受信部１４と、記憶部１５とから構成されている。外部入力部１１は、火災感知器４からの火災感知信号ＳF、タイマ５1からの時刻到達信号ＳT1及びタイマ５2からの時刻到達信号ＳT2をフィルタリングした後、制御部１２に供給する。制御部１２は、中央処理装置（ＣＰＵ）、デジタルシグナルプロセッサ（ＤＳＰ）、シーケンサ等からなり、記憶部１５に記憶されている照明制御プログラム等に基づいて、照明制御処理等を実行することにより、装置各部を制御する。すなわち、例えば、照明制御プログラムが読み出されると、制御部１２に読み込まれ、制御部１２の動作を制御する。制御部１２は、照明制御プログラムが起動されると、照明制御プログラムの制御により、後述する照明制御処理を実行するのである。照明制御処理は、人体検出信号ＳH、検出値ＤL、時刻到達信号ＳT1及びＳT2、火災感知信号ＳF、送受信部１４からのコマンド信号ＳCE（後述）に基づいて、照明器具６1〜６nの点灯、消灯及び明るさ等を制御する処理である。
【００１７】
調光信号出力部１３は、制御部１２からの調光率の調光指令に基づいて、ＰＷＭの調光信号ＳCLを生成して調光信号線８を介して照明器具６1〜６nに出力する。送受信部１４は、照明リモコン７からの赤外線のコマンド信号ＳCIを受信して電気信号のコマンド信号ＳCEに変換して制御部１２に供給するとともに、制御部１２から供給される現在の調光率を示す電気信号の調光率信号ＳRを赤外線の調光率信号ＳRIに変換して照明リモコン７に送信する。
【００１８】
記憶部１５は、ＲＡＭやＲＯＭ、あるいはフラッシュメモリ等の半導体メモリからなる。記憶部１５には、上記した制御部１２が実行すべき上記照明制御プログラムその他の各種プログラムが予め記憶されているとともに、制御部１２が上記照明制御プログラムその他の各種プログラムを実行する際に作業用として用いるワーキング記憶領域が確保されている。
【００１９】
図２は、上記構成の照明装置が適用されたあるビルディングのあるフロアの概略平面図である。このフロアは、就業エリア２１と、廊下エリア２２と、トイレエリア２３1〜２３3と、エレベータエリア２４と、階段エリア２５と、給湯エリア２６とから構成されている。就業エリア２１は、図３に示す５ｍ×５ｍの正方形状の床面からなる９個の就業エリアブロック４１に分割されている。各就業エリアブロック４１の床面には、９個の机４２が３行３列のマトリックス状に配置されているとともに、各机４２に対応して９個の椅子４３が同じく３行３列のマトリックス状に配置されており、就業者が割り当てられた机４２で担当の業務を遂行するようになされている。一方、各就業エリアブロック４１の天井には、図４に示すように、略中央に形成された略円形の埋め込み穴に、略円筒状のハウジングに収容された照明制御装置１が埋め込まれている。ハウジングには、略中央に照度センサ３が取り付けられているとともに、照度センサ３の近傍に人感センサ２が取り付けられている。また、各就業エリアブロック４１の天井には、照明制御装置１の近傍に略円形の埋め込み穴が形成され、この埋め込み穴に火災感知器４が埋め込まれている。さらに、各就業エリアブロック４１の天井には、４個の照明器具６1〜６4が略対称となる位置に取り付けられている。図４に示す各照明器具６1〜６4は、２本の直管４０ｗ形の蛍光ランプ４４や図示せぬインバータ回路等を有している。
【００２０】
廊下エリア２２の天井は、図５に示すように、５ｍ×５ｍの正方形状の天井面からなる２個の廊下エリアブロック４５と、約４．６ｍ×約２．４ｍの長方形状の天井面からなる１個の廊下エリアブロック４６とに分割されている。２個の廊下エリアブロック４５における照明制御装置１等の取り付け状態及び構成は、図４に示す各就業エリアブロック４１における照明制御装置１等の取り付け状態及び構成と同様である。一方、廊下エリアブロック４６の天井における照明制御装置１等の取り付け状態は、図４に示す各就業エリアブロック４１における照明制御装置１等の取り付け状態と相対的に同様であるが、各照明器具６1〜６4は、２本の直管２０ｗ形の蛍光ランプ４７や図示せぬインバータ回路等を有している。
【００２１】
各トイレエリア２３1〜２３3の床面には、図４に示すように、それぞれ洋式便器２７が取り付けられた２つの個室２８が設けられているとともに、各個室２８の入口にはドア２９が取り付けられている。一方、各トイレエリア２３1〜２３3の天井には、図５に示すように、略中央に形成された略円形の埋め込み穴に、略円筒状のハウジングに収容された照明制御装置１が埋め込まれている。ハウジングには、略中央に照度センサ３が取り付けられているとともに、照度センサ３の近傍に人感センサ２が取り付けられている。また、各トイレエリア２３1〜２３3の天井には、２個の照明器具６1及び６2が各個室２８の略中央となる位置に取り付けられている。図５に示す各照明器具６1及び６2は、天井に埋め込まれたダウンライト形であり、いずれも図示しないが、１本のコーンタイプ４２ｗ形の蛍光ランプやインバータ回路等を有している。
【００２２】
エレベータエリア２４には、図２に示すように、２機のエレベータ３０が設置されている。なお、各エレベータ３０は上下階にわたって設置されているので、図５に示すように、天井がなく、照明制御装置１も取り付けられていない。階段エリア２５の一方の壁面には、照明器具６1が取り付けられている。照明器具６1は、いずれも図示しないが、略角枡形状のカバーと、１本の円形３２ｗ形の蛍光ランプと、インバータ回路等とを有している。一方、階段エリア２５の上階との間に設けられた階段下面には、図５に示すように、中央寄りに略円筒状のハウジングに収容された照明制御装置１が取り付けられている。ハウジングには、略中央に照度センサ３が取り付けられているとともに、照度センサ３の近傍に人感センサ２が取り付けられている。
【００２３】
給湯エリア２６には、図２に示すように、その奥の壁に沿ってガスレンジ３１及びシンク３２が設けられているとともに、入口にはドア３３が取り付けられている。一方、給湯エリア２６の天井には、図５に示すように、略中央に照明器具６1が取り付けられている。照明器具６1は、２本の直管２０ｗ形の蛍光ランプ４７や図示せぬインバータ回路等を有している。また、給湯エリア２６の天井には、トイレエリア２３3寄りに形成された略円形の埋め込み穴に、略円筒状のハウジングに収容された照明制御装置１が埋め込まれている。ハウジングには、略中央に照度センサ３が取り付けられているとともに、照度センサ３の近傍に人感センサ２が取り付けられている。さらに、給湯エリア２６の天井には、廊下エリアブロック４５寄りに略円形の埋め込み穴が形成され、この埋め込み穴に火災感知器４が埋め込まれている。
【００２４】
次に、上記構成の照明装置の動作について説明する。まず、照明制御装置１の動作モードとして、以下に示す４つがあり、操作者が照明リモコン７を操作して設定する。なお、照明リモコン７の操作方法及びコマンド信号ＳCIの照明制御装置１への供給方法等の詳細については、例えば、上記した特開２００２−２９９０７１号公報を参照されたい。
（ｉ）動作モード０（Ｍ０）
この動作モード０は、人感センサ２からの人体検出信号ＳHの値を無効とする動作モードである。この動作モード０は、例えば、照明の調光に対する人の感覚（快適性）の向上を犠牲にして省エネルギー化を最大源に図ることを目的とする場合に採用すれば良い。また、この動作モード０は、例えば、デパートメントストアやスーパーマーケット等の売り場など、人の出入りは激しいが、人体検出信号ＳHに基づいた処理を行ったのでは不都合が生じるエリアに照明装置を設置した場合に採用しても良い。
【００２５】
（ii）動作モード１（Ｍ１）
この動作モード１は、例えば、図６に示すように、人感センサ２からの人体検出信号ＳHが"Ｈ"レベル（人体検知状態）から"Ｌ"レベル（人体非検知状態）に変化した場合、第１フェードアウト時間ＴFO1をかけて対応する照明器具６を調光制御して消灯（フェードアウト）するとともに、人感センサ２からの人体検出信号ＳHが"Ｌ"レベルから"Ｈ"レベルに変化した場合、対応する照明器具６を点灯させて第１フェードイン時間ＴFI1をかけて調光制御して第１調光率ＲCL1に到達させる（フェードイン）動作モードである。ここで、フェードアウト時間及びフェードイン時間とは、ＰＷＭの調光信号ＳCLの値が１％だけ変化するのに要する時間をいう。また、第１調光率ＲCL1や後述する第２調光率ＲCL2等を総称する場合には、単に調光率ＲCLと呼ぶ。調光率ＲCLは、照度センサ３の検出値ＤLを用いる場合には、式（１）により求め、照度センサ３の検出値ＤLを用いない場合には、式（２）により求める。
ＲCL＝目標照度（ルクス）／初期照度（ルクス）×１００  …（１）
ＲCL＝現在の照度（ルクス）／現在の最大出力時の照度（ルクス）×１００  …（２）
【００２６】
この動作モード１は、例えば、図２に示す廊下エリア２２、トイレエリア２３1〜２３3、階段エリア２５、給湯エリア２６など、他の場所に比べて人の出入りや通行は多いが、人が長時間留まることがない箇所において、照明の調光に対する人の感覚（快適性）の向上を犠牲にして省エネルギー化を図ることを目的とする場合に採用すれば良い。第１フェードアウト時間ＴFO1及び第１フェードイン時間ＴFI1としては例えば、０．１秒程度とする。また、到達させる第１調光率ＲCL1は、例えば、７０％とする。
【００２７】
（iii）動作モード２（Ｍ２）
この動作モード２は、例えば、図７に示すように、人感センサ２からの人体検出信号ＳHが"Ｈ"レベルから"Ｌ"レベルに変化した場合、第２フェードアウト時間ＴFO2をかけて対応する照明器具６を調光制御して中間調光率ＲCLMに到達させた後、保持時間ＴKだけ保持し、第３フェードアウト時間ＴFO3をかけて対応する照明器具６を調光制御して消灯（フェードアウト）するとともに、人感センサ２からの人体検出信号ＳHが"Ｌ"レベルから"Ｈ"レベルに変化した場合、対応する照明器具６を点灯させて第２フェードイン時間ＴFI2をかけて調光制御して第２調光率ＲCL2に到達させる（フェードイン）動作モードである。
【００２８】
この動作モード２は、例えば、図２に示す就業エリア２１など、人が長時間同一箇所に留まっており、人の動きが比較的少ない箇所において、省エネルギー化と照明の調光に対する人の感覚（快適性）とを両立させることを目的とする場合に採用すれば良い。第２フェードアウト時間ＴFO2としては例えば、２０．０秒程度、保持時間ＴKとしては例えば、１０．０秒程度、第３フェードアウト時間ＴFO3としては例えば、１００秒程度、第２フェードイン時間ＴFI2としては例えば、０．１秒程度とする。また、到達させる中間調光率ＲCLMは、例えば、５０％、第２調光率ＲCL2は、例えば、７０％とする。つまり、第２調光率ＲCL2（７０％）から中間調光率ＲCLM（５０％）まで下げるのに２０秒かける、すなわち、１秒かけて調光率ＲCLを１％下げることになる。また、中間調光率ＲCLM（５０％）から消灯するのに１００秒かける、すなわち、２秒かけて調光率ＲCLを１％下げることになる。これらは、上記した、照度変化に対する人の感覚に関するＳ曲線特性にほぼ沿ったものである。
【００２９】
（iv）動作モード３（Ｍ３）
この動作モード３は、例えば、図８に示すように、人感センサ２からの人体検出信号ＳHが"Ｈ"レベルから"Ｌ"レベルに変化した場合、第４フェードアウト時間ＴFO4をかけて対応する照明器具６を調光制御して下限調光率ＲCLLに到達させる（フェードアウト）とするとともに、人感センサ２からの人体検出信号ＳHが"Ｌ"レベルから"Ｈ"レベルに変化した場合、第３フェードイン時間ＴFI3をかけて対応する照明器具６を調光制御して第３調光率ＲCL3に到達させる（フェードイン）とする動作モードである。
【００３０】
この動作モード３は、例えば、図２に示す廊下エリア２２、トイレエリア２３1〜２３3、階段エリア２５、給湯エリア２６など、他の場所に比べて人の出入りや通行は多いが、人が長時間留まることがない箇所において、省エネルギー化と照明の調光に対する人の感覚（快適性）とを両立させることを目的とする場合に採用すれば良い。第４フェードアウト時間ＴFO3としては例えば、０．１秒程度、第３フェードイン時間ＴFI3としては例えば、１０．０秒程度とする。また、到達させる下限調光率ＲCLLは、例えば、５％、第３調光率ＲCL3は、例えば、７０％とする。
【００３１】
次に、図２に示す就業エリア２１を構成する９個の就業エリアブロック４１に設置されている９個の照明装置の動作について、図９〜図１１を参照して説明する。各照明装置の動作モードとして、上記したように、動作モード２を採用したものとする。まず、図９に示すように、９個の就業エリアブロック４１1〜４１9のいずれにおいても、少なくとも１人の就業者が割り当てられた机４２で担当の業務を遂行しており、対応する就業エリアブロック４１の天井に取り付けられている各照明器具６1〜６4の調光率ＲCLは、対応する照明制御装置１により７０％に調光制御されているものとする。
【００３２】
次に、９個の就業エリアブロック４１1〜４１9のうち、３個の就業エリアブロック４１5、４１7及び４１8において、いずれの就業者も退席したために、対応する照明装置の人感センサ２の人体検出信号ＳHが"Ｈ"レベルから"Ｌ"レベルに変化したものとする。これにより、当該照明装置を構成する照明制御装置１の制御部１２は、設定されている動作モード２に基づいて、第２フェードアウト時間ＴFO2（今の場合、２０．０秒）をかけて、対応する照明器具６1〜６4を調光制御して調光率ＲCLを、７０％から５０％に到達させる（図１０参照）。図１０において、就業エリアブロック４１5、４１7及び４１8に斜線を施しているのは、これらのエリアの照明器具６1〜６4の調光率ＲCLが５０％であることを示している。
【００３３】
このように、照明器具６1〜６4の調光率ＲCLを、７０％から５０％まで下げるのに２０秒かける、すなわち、１秒かけて調光率ＲCLを１％下げている。これは、上記した、照度変化に対する人の感覚に関するＳ曲線特性にほぼ沿ったものであるので、就業エリアブロック４１5、４１7及び４１8に隣接する就業エリアブロック４１2、４１4、４１6及び４１9でまだ就業している就業者は、就業エリアブロック４１5、４１7及び４１8において照明器具６1〜６4の調光率ＲCLが下がったことにほとんど気づかない、すなわち、違和感がない。
【００３４】
また、この場合、就業エリアブロック４１5、４１7及び４１8に設置されている照明装置を構成する照明制御装置１の制御部１２は、照度センサ３からの検出値ＤLを無効とする。このような処理をするのは、以下に示す理由による。すなわち、照度センサ３からの検出値ＤLに基づいて照明器具６1〜６4を調光制御すると、当該就業エリアブロック４１に隣接する就業エリアブロック４１で点灯している照明器具６の光が当該就業エリアブロック４１に漏れ込んでくることにより、照度センサ３がその漏れ込んだ光に応じた検出値ＤLを制御部１２に供給する。これにより、当該制御部１２は、５０％にしなければならない調光率ＲCLを５０％より低い値に制御しようとしてしまう。そこで、制御部１２は、照度センサ３からの検出値ＤLを無視して、照明器具６1〜６4の調光率ＲCLを強制的に５０％に下げるのである。
【００３５】
次に、就業エリアブロック４１5、４１7及び４１8に設置されている照明装置を構成する照明制御装置１の制御部１２は、設定されている動作モード２に基づいて、保持時間ＴK（今の場合、１０．０秒）だけ保持した後、第３フェードアウト時間ＴFO3（今の場合、１００秒）をかけて、対応する照明器具６1〜６4を調光制御して調光率５０％から消灯させる（図１１参照）。図１１において、就業エリアブロック４１5、４１7及び４１8に格子線を施しているのは、これらのエリアの照明器具６1〜６4が消灯している（調光率０％）であることを示している。
【００３６】
このように、照明器具６1〜６4を、調光率５０％から消灯するのに１００秒かける、すなわち、２秒かけて調光率ＲCLを１％下げているのは、上記したＳ曲線特性にほぼ沿ったものとするためである。また、この場合、就業エリアブロック４１5、４１7及び４１8に設置されている照明装置を構成する照明制御装置１の制御部１２は、照度センサ３からの検出値ＤLを無視しているが、その理由も上記した場合と同じである。
【００３７】
一方、就業エリアブロック４１5、４１7及び４１8に隣接する就業エリアブロック４１2、４１4、４１6及び４１9に設置されている照明装置を構成する照明制御装置１の制御部１２は、初期照度補正（図１２参照）と同様な補正を行って、対応する照明器具６1〜６4の上限調光率７０％が初期照度補正における調光信号出力の変化と同様となるように制御する（図１３参照）。これにより、就業エリアブロック４１2、４１4、４１6及び４１9の照度が、これらに隣接する就業エリアブロック４１1及び４１3の照度より大きくなり過ぎるのを防止することができる。ここで、初期照度補正とは、図１２に示すように、新設時の照明器具が保守率を見込んでいることより生じる過剰な明るさを調光により抑制することをいう。保守率とは、照明器具をある期間使用した後のターゲット上の平均照度と初期照度との比をいう。
以上説明した動作が順次行われることにより、図２に示す就業エリア２１においては、省エネルギー化と照明の調光に対する人の感覚（快適性）とを両立させることができる。
【００３８】
なお、図２に示す廊下エリア２２を構成する各廊下エリアブロック４５及び４６、各トイレエリア２３1〜２３3、階段エリア２５、給湯エリア２６においても、それぞれのエリア又はエリアブロックに設置されている照明装置を構成する照明制御装置１の制御部１２は、設定されている動作モードに応じて、上記した就業エリア２１における動作と同様の動作を行う。
【００３９】
このように、この例の構成によれば、人感センサ２の人体検出信号ＳHと関連付けて照明制御装置１の動作モードを４つ設けるとともに、各動作モードにおけるフェードイン時間及びフェードアウト時間を操作者が照明リモコン７を操作して設定可能に構成している。したがって、照明装置を設置したエリアの性格に最もふさわしい動作モードを選択して設定することにより、省エネルギー化を図りつつ、照明の調光に対する人の感覚（快適性）も向上させることができる。また、照明装置を設置したエリアの性格よりも使用者の意図（省エネルギー重視か快適性重視か等）を考慮して動作モードを選択して設定することもできる。
【００４０】
実施の形態２．
上述した実施の形態１では、照明制御装置１の４つの動作モードは、外部信号とは特に関連づけていない例を示したが、本発明はこれに限定するものではない。例えば、以下に示すように、照明制御装置１の４つの動作モードを外部信号と関連づけても良い。なお、図１に示す照明制御装置１を構成する記憶部１５には、以下に示す設定テーブル（図１４参照）が記憶される。
【００４１】
（ｉ）動作モード０（Ｍ０）
この動作モード０は、外部信号の入力状態と組み合わせる場合には、例えば、図１４に示す設定テーブルの（ｂ）及び（ｆ）のように、火災感知器４から"Ｈ"レベルの火災感知信号ＳFが供給された場合、人体検出信号ＳHの値、照度センサ３の検出値ＤL、あるいは火災感知信号ＳF以外の他の外部信号の値にかかわらず、予め設定された第４フェードイン時間ＴFI4をかけて対応する照明器具６を調光制御して上限調光率ＲCLHに到達させる（フェードイン）場合に採用すれば良い。第４フェードイン時間ＴFI4としては、例えば、０．１秒程度とする。また、到達させる上限調光率ＲCLHとしては、例えば、１００％とする。図１４において、「＊」印は、「Don't care」（不問）、すなわち、時刻到達信号ＳT1及びＳT2であれば"Ｈ"レベルでも"Ｌ"レベルでも良いこと、検出値ＤLであればどのような値でも良いことを意味している。
【００４２】
（ii）動作モード１（Ｍ１）
この動作モード１は、外部信号の入力状態と組み合わせる場合には、例えば、図１４に示す設定テーブルの（ｃ）及び（ｇ）のように、火災感知器４から"Ｌ"レベルの火災感知信号ＳFが供給され、かつ、タイマ５1から"Ｈ"レベルの時刻到達信号ＳT1が供給されている状態において、人体検出信号ＳHが変化する場合に採用すれば良い。第１フェードアウト時間ＴFO1としては例えば、５．０秒程度、第１フェードイン時間ＴFI1としては例えば、１０．０秒程度とする。また、到達させる第１調光率ＲCL1は、例えば、５０％とする。
【００４３】
（iii）動作モード２（Ｍ２）
この動作モード２は、外部信号の入力状態と組み合わせる場合には、例えば、図１４に示す設定テーブルの（ａ）及び（ｅ）のように、火災感知器４から"Ｌ"レベルの火災感知信号ＳFが供給され、タイマ５1から"Ｌ"レベルの時刻到達信号ＳT1が供給され、かつ、タイマ５2から"Ｌ"レベルの時刻到達信号ＳT2が供給されている状態において、人体検出信号ＳHが変化する場合に採用すれば良い。第２フェードアウト時間ＴFO3としては例えば、２．０秒程度、保持時間ＴKとしては例えば、１０．０秒程度、第３フェードアウト時間ＴFO3及び第２フェードイン時間ＴFI2としては例えば、０．５秒程度とする。また、到達させる中間調光率ＲCLMは、例えば、５０％、第２調光率ＲCL2は、例えば、７０％とする。この動作モード２における外部信号としては、例えば、玄関等のドアに取り付けられた電気錠を施錠したことを示す施錠信号があり、制御対象の照明器具が設置されたエリアとしては、ドアの内側の室内、ドアの外側の廊下などがある。この場合、保持時間ＴKは、施錠者が当該ドア近くのエレベータに搭乗するまでの時間や、当該ドアから立ち去るまでの時間が目安となる。
【００４４】
（iv）動作モード３（Ｍ３）
この動作モード３は、外部信号の入力状態と組み合わせる場合には、例えば、図１４に示す（ｄ）及び（ｈ）のように、火災感知器４から"Ｌ"レベルの火災感知信号ＳFが供給され、タイマ５1から"Ｌ"レベルの時刻到達信号ＳT1が供給され、かつ、タイマ５2から"Ｈ"レベルの時刻到達信号ＳT2が供給されている状態において、人体検出信号ＳHが変化する場合に採用すれば良い。第４フェードアウト時間ＴFO4としては例えば、５．０秒程度、第３フェードイン時間ＴFI3としては例えば、１０．０秒程度とする。また、到達させる下限調光率ＲCLLは、例えば、５％、第３調光率ＲCL3は、例えば、５０％とする。
【００４５】
このように、この例の構成によれば、人感センサ２の人体検出信号ＳHと関連付けて照明制御装置１の動作モードを４つ設け、かつ、この４つの動作モードと外部信号の入力状態と組み合わせるとともに、各動作モードにおけるフェードイン時間及びフェードアウト時間を操作者が照明リモコン７を操作して設定可能に構成している。したがって、上記した実施の形態１で得られる効果はもちろん得られるが、その他、外部信号の性格や使用用途に応じた動作モードの割り当てが可能となる。
【００４６】
実施の形態３．
上述した実施の形態１及び２において示した照明制御装置１の４つの動作モードは、主に過渡的な状態（過渡的状態）での動作を示しているため、ある調光率ＲCLを保持すべき状態（調光保持状態）での照度センサ３の検出値ＤLに基づいた調光制御動作については、一部の例外を除いては特に言及していない。しかし、本発明では、過渡的状態及び調光保持状態のいずれの状態においても、照度センサ３の検出値ＤLに基づいた調光制御動作を行っても良いし、調光保持状態のみにおいて、照度センサ３の検出値ＤLに基づいた調光制御動作を行っても良いし、過渡的状態及び調光保持状態のいずれの状態においても、照度センサ３の検出値ＤLに基づいた調光制御動作を行わなくても良い。また、実施の形態２においては、外部信号の入力状態のパターンごとに、照度センサ３の検出値ＤLに基づいた調光制御動作の有効又は無効を別個に設定できるようにしても良い。これらの設定は、いずれも、操作者が照明リモコン７を操作して行う。このように構成すれば、よりきめ細やかな照明制御を行うことができる。
【００４７】
実施の形態４．
上述した各実施の形態では、人感センサ２からの人体検出信号ＳHが"Ｌ"レベルから"Ｈ"レベルに変化した際の照度センサ３の検出値ＤLに基づいた調光制御動作については特に言及していない。しかし、本発明では、以下に示す制御を行っても良い。
（i）動作モード１（Ｍ１）
人感センサ２からの人体検出信号ＳHが"Ｌ"レベルから"Ｈ"レベルに変化した際、照度センサ３の検出値ＤLが第１調光率ＲCL1に対応した照度より高いことを示す場合には、人感センサ２からの人体検出信号ＳHの値を無効とする。
【００４８】
（ii）動作モード２（Ｍ２）
人感センサ２からの人体検出信号ＳHが"Ｌ"レベルから"Ｈ"レベルに変化した際、照度センサ３の検出値ＤLが第２調光率ＲCL2に対応した照度より高いことを示す場合には、人感センサ２からの人体検出信号ＳHの値を無効とする。
（iii）動作モード３（Ｍ３）
人感センサ２からの人体検出信号ＳHが"Ｌ"レベルから"Ｈ"レベルに変化した際、照度センサ３の検出値ＤLが第３調光率ＲCL3に対応した照度より高いことを示す場合には、人感センサ２からの人体検出信号ＳHの値を無効とする。
このように構成すれば、自然な照明制御を行うことができる。
【００４９】
実施の形態５．
上述した各実施の形態では、照明制御装置１の４つの動作モードは、一度設定されると固定される例を示したが、本発明はこれに限定するものではない。例えば、制御部１２にスケジュール管理機能を付加しても良い。すなわち、ある照明制御装置１において、スケジュールに応じて、４つの動作モードを切り替えたり、照度センサ３の検出値ＤLに基づいた調光制御動作の有効又は無効を切り替えたり、各動作モードにおけるフェードイン時間、フェードアウト時間を変更したりしても良い。例えば、図２に示す就業エリア２１においては、２４時間を、就業開始時刻から昼休み開始時刻まで（例えば、動作モード２）、昼休み時間（例えば、タイマからの信号に基づく調光率５０％とする制御）、昼休み終了時刻から終業時刻まで（例えば、動作モード２）、終業時刻から翌日の就業開始時刻まで（例えば、動作モード１）、と分割し、各時間帯で動作モード等の切り替えを行う。また、１週間を、出勤日（例えば、月曜日から金曜日）と休日（例えば、土曜日及び日曜日）とに分割し、各時間帯で動作モード等の切り替えを行う。このように構成すれば、よりきめ細やかな照明制御を行うことができ、省エネルギーの効果も上げることができる。
【００５０】
実施の形態６．
上述した各実施の形態では、照明制御装置１の４つの動作モードにおけるフェードイン時間、フェードアウト時間及び調光率ＲCLを照明リモコン７の操作者が１つ１つ設定する例を示したが、本発明はこれに限定するものではない。例えば、各動作モードごとに、統計や顧客の要望に応じた推奨値を予め記憶部１５のプリセット領域に記憶しておき、操作者が推奨値からの変更を希望するフェードイン時間、フェードアウト時間、あるいは調光率ＲCLのみを設定変更するように構成しても良い。
【００５１】
この場合、単に、動作モード０〜３とするのではなく、就業エリアブロック４１や廊下エリアブロック４５等、各エリア又はエリアブロックごとに適した動作モードをプリセットしておいても良い。そして、照明装置の設置後の照明リモコン７を用いた初期設定を行う際に、例えば、「設置エリアの選択」項目として、「就業エリア」、「廊下エリア」、「トイレエリア」等を設け、「就業エリア」を選択すれば動作モード２が、「廊下エリア」及び「トイレエリア」を選択すれば動作モード３が自動的に設定されるように構成する。また、各エリアごとの動作モードについても、１種類ではなく、省エネルギー化を重視するモード、照明の調光に対する人の快適性を重視するモード、省エネルギー化と照明の調光に対する人の快適性の両立を図るモードなど何種類かをプリセットしても良い。このように構成すれば、よりきめ細やかな照明制御を行うことができるとともに、操作性も向上する。
【００５２】
実施の形態７．
上述した各実施の形態では、蛍光ランプの調光率ＲCLを照明制御装置１から調光信号線８を介して供給されるＰＷＭの調光信号ＳCLに基づいて制御する例を示したが、本発明はこれに限定するものではない。例えば、位相制御端末器により調光信号ＳCLを位相制御調光信号に変換し、位相制御調光信号に基づいて白熱灯やハロゲン照明器具、あるいは、位相制御調光方式の蛍光ランプを調光制御するように構成しても良い。このように構成すれば、汎用性が向上する。
【００５３】
実施の形態８．
上述した各実施の形態では、照明装置はそれぞれ独立しており、当該照明装置を構成する照明制御装置１が対応するエリア又はエリアブロックに設置されている照明器具のみを制御する例を示したが、本発明はこれに限定するものではない。例えば、就業エリア２１の各就業エリアブロック４１1〜４１9に設置されている９個の照明制御装置１と、これら９個の照明制御装置１を制御する中央制御装置とを信号線で接続するとともに、すべての就業者の出社時刻及び退社時刻を記録するタイムレコーダを中央制御装置に接続する。
【００５４】
また、中央制御装置を構成する記憶部には、各就業者に付与された社員コードごとに、所属部署、割り当てられた机４２が配置されている就業エリアブロック４１の位置、申請されている出社時間帯及び退社時間帯（フレックスタイム制の場合）、出張の予定などが記憶されるように構成する。そして、各就業者が出社し、上記社員コードが記録されている社員証等をタイムレコーダの挿入口に挿入して自己の出社を登録すると、中央制御装置は、タイムレコーダからの社員コードに基づいて、上記記憶部を検索して、当該就業者が当該就業エリアブロック４１で就業する複数の就業者のうち、最初に出社した就業者である場合には、当該就業者に割り当てられている机４２が配置されている就業エリアブロック４１の照明器具６を制御する照明制御装置１に最初の就業者が出社した旨を通知する。この通知を受けた照明制御装置１は、設定されている動作モードに応じて、上記就業エリアブロック４１の照明器具６の調光制御を開始する。
【００５５】
一方、ある就業エリアブロック４１で就業する複数の就業者のうち、最後まで就業していた就業者が退社する際にタイムレコーダの挿入口に社員証等を挿入して自己の退社を登録すると、中央制御装置は、タイムレコーダからの社員コードに基づいて、上記記憶部を検索して、当該就業者に割り当てられている机４２が配置されている就業エリアブロック４１の照明器具６を制御する照明制御装置１に最後の就業者が退社した旨を通知する。この通知を受けた照明制御装置１は、設定されている動作モードに応じて、上記就業エリアブロック４１の照明器具６を調光制御する。
【００５６】
なお、図２に示す廊下エリア２２、トイレエリア２３1〜２３3、階段エリア２５及び給湯エリア２６に設置された各照明制御装置１も上記中央制御装置に信号線を介して接続しても良い。この場合、上記就業エリア２１で就業する複数の就業者のうち、いずれかが最初に出社し当該フロアの出入口の施錠を解除し、その旨を示す信号が上記中央制御装置に供給されると、各エリアに設置された各照明制御装置１が就業時間帯用に設定された動作モードでの動作を開始する。一方、上記就業エリア２１で就業する複数の就業者のうち、いずれかが最後に退社し当該フロアの出入口を施錠し、その旨を示す信号が上記中央制御装置に供給されると、各エリアに設置された各照明制御装置１が就業後の時間帯用に設定された動作モードでの動作を開始する。このように、この例の構成によれば、当該フロアに設置されているすべての照明器具の調光制御を統一的に行うことができる。
【００５７】
以上、この実施の形態を図面を参照して詳述してきたが、具体的な構成はこの実施の形態に限られるものではなく、本発明の要旨を逸脱しない範囲の設計の変更等があっても本発明に含まれる。
例えば、上述した各実施の形態では、動作モードやフェードイン時間、フェードアウト時間は、ワイヤレスの照明リモコン７により設定する例を示したが、これに限定されず、照明装置１と信号線を介して接続された設定器により設定しても良い。
【００５８】
また、上述した各実施の形態では、外部信号として、タイマ５1及び５2からの時刻到達信号ＳT1及びＳT2、火災感知器４からの火災感知信号ＳF、あるいは施錠信号を用いる例を示したが、これに限定されない。外部信号は、例えば、窓に設置された防犯スイッチが当該窓が開いていることを検知して出力する窓開放検知信号、給湯エリア２６のガスレンジ３１近傍に設置されたガス漏れ検知器がガスレンジ３１におけるガス漏れを検知して出力するガス漏れ検知信号等であっても良い。なお、タイマ５1及び５2からの信号は、所定時間の経過を示す時間経過信号でも良い。
また、上述の各実施の形態では、照明制御装置１は、動作モード０〜動作モード３の４つすべてを有する例を示したが、これに限定されず、いずれか１つを有する場合でも良く、また５つ以上有しても良い。さらに、動作モードの内容も上記動作モード０〜動作モード３に限定されることはない。
また、上述の各実施の形態は、その目的及び構成等に特に矛盾や問題がない限り、互いの技術を流用することができる。
【図面の簡単な説明】
【００５９】
【図１】本発明の実施の形態１を示す照明装置のブロック図である。
【図２】照明装置が適用されたあるビルディングのあるフロアの概略平面図である。
【図３】就業エリアブロックの構成を示す概略図である。
【図４】就業エリアブロックの天井への照明装置の取付例を示す概略図である。
【図５】廊下エリアブロック、トイレエリア、階段エリア、給湯エリアの各天井への照明装置の取付例を示す概略図である。
【図６】動作モード１に設定された場合の照明制御装置の動作を説明するための図である。
【図７】動作モード２に設定された場合の照明制御装置の動作を説明するための図である。
【図８】動作モード１に設定された場合の照明制御装置の動作を説明するための図である。
【図９】就業エリアを構成する９個の就業エリアブロックに設置されている９個の照明装置の動作を説明するための概略図である。
【図１０】就業エリアを構成する９個の就業エリアブロックに設置されている９個の照明装置の動作を説明するための概略図である。
【図１１】就業エリアを構成する９個の就業エリアブロックに設置されている９個の照明装置の動作を説明するための概略図である。
【図１２】照明器具の点灯時間に対する光束維持率の変化の一例を示す図である。
【図１３】照明器具の点灯時間に対する調光信号出力の変化の一例を示す図である。
【図１４】本発明の実施の形態２である照明装置を構成する照明制御装置に記憶される設定テーブルの構成の一例を示す図である。
【符号の説明】
【００６０】
１  照明制御装置、２  人感センサ、３  照度センサ、４  火災感知器、５1，５2  タイマ、６，６1〜６n  照明器具、７  照明リモコン、８  調光信号線、１１  外部入力部、１２  制御部、１３  調光信号出力部、１４  送受信部、１５  記憶部、２１  就業エリア、２２  廊下エリア、２３1〜２３3  トイレエリア、２４  エレベータエリア、２５  階段エリア、２６  給湯エリア、２７  洋式便器、２８  個室、２９，３３  ドア、３０  エレベータ、３１  ガスレンジ、３２  シンク、４１，４１1〜４１9  就業エリアブロック、４２  机、４３  椅子、４４，４７  蛍光ランプ、４５，４６  廊下エリアブロック。
【図１】
0004748946.tif 000002
【図２】
0004748946.tif 000003
【図３】
0004748946.tif 000004
【図４】
0004748946.tif 000005
【図５】
0004748946.tif 000006
【図６】
0004748946.tif 000007
【図７】
0004748946.tif 000008
【図８】
0004748946.tif 000009
【図９】
0004748946.tif 000010
【図１０】
0004748946.tif 000011
【図１１】
0004748946.tif 000012
【図１２】
0004748946.tif 000013
【図１３】
0004748946.tif 000014
【図１４】
0004748946.tif 000015